(57)【要約】      （修正有）【課題】潜熱蓄熱材を利用した蓄熱型湯たんぽにおいて、液漏れを容易に検知できる様にした蓄熱型ゆたんぽを提供する。【解決手段】袋状体の容器の内部に蓄熱材を封入した蓄熱型湯たんぽで、蓄熱材３に潜熱蓄熱材を使用し、少なくとも袋状体を二重にする。これにより、潜熱蓄熱材が固形化しても、内側素材２１が固形部の突起を受け止め外側素材２２が外部からの衝撃を緩和すると共に、内側素材を不透明にして、その上に破損時に蓄熱材が漏れ染まるように構成する。さらに、外側材を透明半透明材とすることにより、目視しやすく、内部素材のみの破損で漏れ３ａが発生した時点での確認が容易となる。【選択図】図２
0003177021.tif 000002
【実用新案登録請求の範囲】
【請求項１】
袋状体の容器の内部に蓄熱材を封入した蓄熱型湯たんぽで、
蓄熱材に潜熱蓄熱材を使用し、
袋状体の容器を複重化としたこと
を特徴とする蓄熱型湯たんぽ。
【請求項２】
請求項１の蓄熱型湯たんぽにおいて、
外側袋状体の容器の部材を透明または、半透明としたこと
を特徴とする蓄熱型湯たんぽ。
【請求項３】
請求項１から請求項２の何れかに記載の蓄熱型湯たんぽにおいて、
袋状体の容器の内側部材を不透明とたこと
を特徴とする蓄熱型湯たんぽ。
【請求項４】
請求項１から請求項３の何れかに記載の蓄熱型湯たんぽにおいて、
袋状体の容器の部材間に着色液や、臭気を放つ臭気物質を封入したこと
を特徴とする蓄熱型湯たんぽ。
【考案の詳細な説明】
【技術分野】
【０００１】
本考案は、蓄熱を行う暖房器具に関する。
【背景技術】
【０００２】
従来から、身体を暖めるために身体周辺に触れて暖をとる暖房器具として湯たんぽ（湯湯婆）がある。湯たんぽは容器に湯を注ぎ栓をし、布団などに入れ主に足を暖めるものや、椅子の背もたれや足先において、足や腰をあたためるものがある。容器材質は陶器、金属、プラスチック製がある。温度調節が効かないため、使用時に布を巻かないと火傷することや、しっかりと確実に締めないと、使用中にキャップが緩み火傷を負うことがある。また、高温使用で低温火傷（以後低温熱傷と記す）となることがある。また、他に小豆、そばや、ゲル化剤、天然石等を封入し、電子レンジで暖め、腰や肩、足を暖めるものがある。
【０００３】
これらの暖房器具は、本体を暖めた後徐々に冷えるため、一定温度を保つ電気器具に対し身体に負担が掛かりにくい。
従来からの湯たんぽは、お湯を沸かして、お湯を注ぐ行為が面倒であったが、プラスチック容器タイプは、電子レンジで暖める等でより便利になった、しかし、一方で、キャップをしたまま暖めるケースや、熱いままで長時間使用してしまい低温熱傷となる等の問題が発生している。お湯は徐々に冷えるため、高めの温度のお湯を注ぎ込みがちなのが人情であり、事故の要因ともなっている。
【０００４】
特許文献１では、「電気行火内部のヒーターを、自動的に強弱に切り替える、又は電気行火内部に、湯たんぽの温度特性をインプットした、マイコンを内蔵させるものである。」とあるが、湯たんぽの特性を取り入れた電気あんかである。
このように、環境に優しく、安心して長時間一定温度で暖がとれ、低温熱傷とならずに身体に優しく、身体周辺に触れながら暖をとれる器具が無かった。このため、今後、蓄熱材や潜熱蓄熱材を利用した器具が使用される事になると考えられる。これらの器具は基本的に柔軟性のある素材の容器が使用されると考えられる。この際に、これらの柔軟性容器の枚数を重複化する事により内部の液漏れを防止する方式や、液漏れを発見しやすくし安全性を高めた方式の考え方も無い。
【先行技術文献】
【特許文献】
【０００５】
【特許文献１】特許公開平９−２５７２５５号公報
【考案の概要】
【考案が解決しようとする課題】
【０００６】
従来の湯たんぽは、お湯を入れなければならないため面倒であるのと共に、お湯を扱う為に危険が伴った。また、プラスチック容器のタイプは電子レンジで暖める際にキャップの開け忘れ等の気遣いが煩わしい。また、キャップのゆるみ等による湯漏れの問題もあった。電気式の湯たんぽ、あんか、毛布等は、電気事故や、電気を纏う事に対する抵抗感、そして一定温度を保つことによる自律神経等の弱体懸念がある。
そこで、考えられるのが潜熱等を利用した蓄熱材を使用した暖房器具の湯たんぽである。例えばお風呂のお湯で蓄熱する事により、低温熱症を回避する事が出来る。この蓄熱材を利用した暖房器具の湯たんぽの蓄熱材容器において、容器の損傷等により内部の蓄熱材が漏れが発生した際に、内容物の漏れ被害が発生する。
【課題を解決するための手段】
【０００７】
上記課題を解決するために、本考案の一態様に係る液漏れ予防蓄熱型湯たんぽは、袋状体の容器の内部に蓄熱材を封入した蓄熱型の湯たんぽで、袋状体の容器を少なくとも二重に覆い、強度を増すと共に、外側容器部材を透明や半透明部材とする事により、内部の蓄熱材の漏れを目視しやすくしたことを特徴とする。
【考案の効果】
【０００８】
低温熱傷は接触部の温度が４４℃だと約６から１０時間で受傷し、４４℃から５１℃までのあいだは接触する温度が高くなるにつれて受傷する時間が短縮される場合があると言われている。
物質の比熱を利用する顕熱蓄熱に対し、物質の相変化、転移の際に外部とやりとりされる潜熱を熱エネルギーとして蓄える技術を潜熱蓄熱と呼ぶ。代表例としては氷（水）、パラフィン、無機塩などがあり、それらの融点での融解熱、および凝固点での凝固熱を利用する。これらの材料は固−液間の相変化を伴うため、潜熱蓄熱に用いられる材料をPCM（Ｐｈａｓｅ  Ｃｈａｎｇｅ  Ｍａｔｅｒｉａｌｅｓ）と呼称している。
潜熱蓄熱材は単位容積当たり水の約５倍、コンクリートの約１0倍の蓄熱量が得られる。
このようなことから、本考案の蓄熱型湯たんぽは浴槽に入れておくことにより蓄熱しておき、取りだして使用するだけの為、本体重量が少量でも発熱量が大きく、簡単で環境に優しく、さらに、人に優しい、例えば寒い夜にふとんの足下に入れて置くことにより、低温熱傷となることなく朝まで快適に快眠出来る蓄熱型湯たんぽとなる。また、蓄熱材を利用した蓄熱型湯たんぽを座布団の様な形状のものの内部に入れ、ひざに載せたり、足や、手を入れるポケットを設け手足を暖めたりする事が出来る。さらには、座布団として使用する事が出来る。
本考案によれば、これらの蓄熱型湯たんぽ容器の破損を予防すると共に、破損時に蓄熱材入りの内容物（液）の漏れを発見しやすくし、安全に快適な使用を提供する。
【図面の簡単な説明】
【０００９】
【図１】内部に蓄熱材を封入した実施例の平面図である。
【図２】内部に蓄熱材を封入した実施例の断面図の一部である。
【図３】内部に蓄熱材を封入し、容器間に溶液を入れた断面図の一部である。
【考案を実施するための形態】
【００１０】
本考案の実施の形態について、以下、図に基づいて説明する。
【００１１】
図１は、本考案の液漏れ予防した蓄熱型湯たんぽの実施例を示す。
蓄熱型湯たんぽ１は蓄熱材３を袋状体の容器２を少なくとも二重にし封入したものを示す。詳細には、袋状体の容器２は四枚のシート材の外周や袋の接合面を溶着面２ａで溶着密封し、把手部２ｂを設けると共に、袋状体の容器とし、四枚の中心シート材（内側袋状体の中）に蓄熱材３を封入したものである。
【００１２】
図２（ａ）、（ｂ）は図１の正面断面図の一部を示したものであり、袋状体の容器のシート材を２重化したものを示す。図２（ｂ）は、内側袋状体の容器２１のシート材が破損し液漏れを起こした状態を示す。例えば、外側袋状体の容器２２のシート材は透明で構成され、内側袋状体の容器２１のシートは、不透明の橙色で構成されている。また、内部に封入された蓄熱材はカーボン等を含み黒色で構成させている。このような状態で、内部から液漏れが発生したときに外側袋状体の容器２２のシート材は透明な為、内側袋状体の容器の破損箇所４が内側袋状体の容器２１のシート（橙色）上に黒色の内容物が漏れ広がる。このため内容物の漏れを目視しやすくする。また、この際外側袋状体は破れておらず、外部への漏れが発生していない状態であり、安全を保てる。また、潜熱蓄熱材は凝固時に塊となり、袋状体の容器に衝撃を与えると、内側の袋状体の容器が破損する確立が高い。この様に袋状体を複重化する事により、各袋状体の容器の同時、同一箇所の破損の確立を減少することが出来る。
【００１３】
ここでの袋状体の容器は各シート材の溶着を同時に行ったが、内側の袋状態に蓄熱材を密閉後に、外側の袋状体容器を密封してもよいものである。
袋状体の容器は、非フタル酸系等の塩化ビニルのシート材が適している。袋状体の内側素材と外側素材はシート材の厚み変えても良い。また、シート素材の硬度を変えても良い。さらに、シート素材にポリエチレン、ポリウレタン等の他の柔軟性シート素材を使用しても良い。さらには、ポリプロピレンや、ＡＢＳ等のプラスチック樹脂で成形し蓄熱材の封入口を密封してもよい。その上、柔軟性シート材で外側袋状体を密封し外側袋状体容器としても良い。
外側袋状体の容器と内側袋状体の容器の合わせ目は、密着させ、内容物から空気を排除する事が、外観面や、破損時の発見を早めるのに有効である。
【００１４】
図３は、内部に蓄熱材を封入し、容器間に溶液を入れた断面図の一部を示す。
詳細には、外側袋状体の容器２２と内側袋状体の容器２１間に溶液５をいれたものを示す。溶液５は、例えば、着色した安全性の高い、色落ちの良い、顔料等を溶かした水や、アルコールを入れておくことにより、内側袋状体の容器の破損箇所４ｂばかりでなく、外側袋状体の容器の破損箇所４ａを溶液の色の浸みだし破損を確認する事が出来る。また、溶液５にアンモニア等の臭気性の有る臭気物質や、これらの混合物を入れておくことにより、臭気を感じて破損を関知する事が可能である。臭気物質は、ミント系や、メンソール系の香りの良いものでもよい。
【符号の説明】
【００１５】
１蓄熱型湯たんぽ、２：袋状体の容器、２ａ：溶着面、２ｂ：把手部、２１：内側袋状体の容器、２２：外側袋状体の容器、３：蓄熱材、３ａ：漏れた蓄熱材、４、４ａ，４ｂ：袋状体の容器の破損箇所、５：溶液、７：目
【図１】
0003177021.tif 000003
【図２】
0003177021.tif 000004
【図３】
0003177021.tif 000005